(57)【特許請求の範囲】
【請求項１】
少なくとも扉（１）の内壁面（１ａ）に第１固定手段（１７）を介して面付け状態に直接固定されるケース状収納体（７Ａ）と、このケース状収納体に第２固定手段（２５）を介して固定的に収納される掘り込み型錠前（８Ａ）と、該掘り込み型錠前を、前記ケース状収納体（７Ａ）を介して全体的にカバーすると共に、該ケース状収納体に外嵌合するプッシュプル式ハンドル装着用のカバー台座（１０Ａ）を備える面付け錠ユニット。
【請求項２】
請求項１に於いて、カバー台座（１０Ａ）は、一側壁（１０ａ）に縦方向の切欠部分（３２）を有し、錠前（８Ａ）のフロント（２１）は、前記一側壁と略面一状態になるように前記切欠部分に位置していることを特徴とする面付け錠ユニット。
【請求項３】
面付け錠ユニット（２Ａ）は、扉（１）の内壁面（１ａ）に直接固定されると共に縦長の内部空間（１５）を有するケース状収納体（７Ａ）と、このケース状収納体（７Ａ）に内装される掘り込み型錠前（８Ａ）と、前記ケース状収納体７Ａに対して被せるように外嵌合するプッシュプル式ハンドル装着用のカバー台座（１０Ａ）を備え、該面付け錠ユニット（２Ａ）の真下に所定間隔離間して位置しかつ前記扉（１）の内壁面（１ａ）に固定される下方の面付け錠ユニット（２Ｂ）も該面付け錠ユニット（２Ａ）と同一の構成部材から成り、上方の面付け錠ユニット（２Ａ）のカバー台座（１０Ａ）と下方の面付け錠ユニット（２Ｂ）のカバー台座（１０Ｂ）には室内側の前記プッシュプル式ハンドル（４）が縦方向に配設されることを特徴とする面付け錠ユニット。
【請求項４】
請求項３に於いて、取付け体（９Ａ）は扉を貫通する複数本の連結柱を有する連結手段（３）によってケース状収納体（７Ａ）側に引寄せられ、ケース状収納体（７Ａ）は扉（１）の内壁面（１ａ）と取付け体（９Ａ）の垂直板部分（９ａ）とによってサンドイッチ状態に挟持されることを特徴とする面付け錠ユニット。
【発明の詳細な説明】
【技術分野】
【０００１】
本発明は、面付け錠ユニットに関し、特に縦長ハンドルを装着するのに適合する面付け錠ユニットに関する。
【背景技術】
【０００２】
特許文献１には、少なくともラッチボルト１１と該ラッチボルトを出没させる作動機構とを有するラッチ錠１０と、扉ａの開く方向に対して押し操作または引き操作ができるように保持された室内側ハンドル２０および室外側ハンドル３０と、このハンドルの押し又は引きの操作によりラッチ錠１０のラッチボルト１１を後退又は後退を許容させて開扉可能としてなるプッシュプル式の扉錠であって、前記ラッチ錠１０は錠箱１内に収納して、少なくともラッチ錠のラッチボルト１１を錠箱１から出没できるようにしてあり、前記錠箱１は扉の室内側の扉面に面付けするとともに、この錠箱１の表面側に取り付ける室内側ハンドル２０と、扉の室外側の扉面側に取り付ける室外側ハンドル３０とを固定してあることを特徴とするプッシュプル式扉錠」が開示されている。
【０００３】
しかして、この特許文献１の図４を参照にすると、例えば面付け錠ユニットは、少なくとも、扉ａの内壁面に第１固定手段７１、７１を介して面付け状態に固定される縦長ベース板７０と、この縦長のベース板７０に第２固定手段４、４等を介して固定的に取り付けられる一側開口の縦長錠箱１と、この縦長錠箱１に内装される既存の錠前（例えばラッチ錠）と、前記縦長錠箱１の外壁面に固定される上下の台座とから成り、前記上下の台座には、プッシュプル式の縦長ハンドル２０が縦方向に配設される。
【０００４】
上記構成の面付け錠ユニットは、縦長錠箱１に既存の錠前を固定的に内装することができるもの、縦長ベース板７０と、これに一体的に固定される一側開口の縦長錠箱１とは別個の部材であることから、面付け錠ユニットの各部材を扉ａの内壁面に簡単に取り付けることができない、上下の台座は縦長錠箱１の外面に複数本のねじ２８、２９を介してそれぞれ固定されるものであるから、前記ねじ２８、２９が弛む可能性があり、台座がガタツキ易い等の問題点があった。
【０００５】
なお、特許文献１の図１３の上下の面付け錠ユニットは、それぞれ別個であるものの、これらのサムターンケース９４、９５の内部構成は、全く不明である（符号は特許文献１のもの）。
【０００６】
また、特許文献２には、扉の内壁面に固定される面付け錠ユニットが、錠前２と、該錠前の内壁面を除く外壁面を包む略断面コ字形状のカバー体１９と、該コ字形状カバー体の外壁面中央部に外方向に突出成形された取付け座２３から成る室内側の面付け錠ユニットが開示されている（符号は特許文献２のもの）。
【０００７】
この特許文献２に記載の実施例は、錠前を略断面コ字形状のカバー体で錠前を包むので、現場での取付け施工が楽である、結露対策としての意味合いがそれなりにある等発明の効果が認められるものの、前記面付け錠ユニットは、本願発明の実施形態の如く、カバー体１９が、本願発明の如く錠前全体を収納することができるケース状収納体でない、ケース状収納体及び台座（取付け座２３）の他にケース状収納体を扉の内壁面に挟持状態に固定する取付け体が存在しない、台座がケース状収納体の外面を全体的にカバーするものではない等から、扉の内壁面側に扉の木口相当の環境作りを十分に発揮させることができず、従来の掘り込み型に使用されているラッチ錠、本施錠付きラッチ錠、本施錠等の錠前を、面付け状態に簡単に取り付けることができない、結露対策を十分に発揮することができない、防犯性が十分ではない、台座そのものを交換することができない、修理の際に台座のみを取り外しことができない等の問題点があった。
【先行技術文献】
【特許文献】
【０００８】
【特許文献１】特開２０１０−１５９６１３号公報
【特許文献２】特開平９−２５６７０６号公報
【発明の概要】
【発明が解決しようとする課題】
【０００９】
本願発明の所期の目的は、従来の特許文献に記載の実施例の問題点に鑑み、扉の木口に嵌め込まれる、いわゆる「掘り込み型錠前（例えばラッチ錠、本施錠付きラッチ錠、本施錠等）」を、木口に嵌め込む場合と同様に、扉の内壁面側に扉の木口相当の環境作りを錠前の取付け現場で簡単に実行することができ、従来の掘り込み型に使用されているラッチ錠、本施錠付きラッチ錠、本施錠等の錠前を、面付け状態に簡単に取り付けることができる面付け錠ユニットを提供することである。それと共に、結露対策を十分に発揮することができる、防犯性も発揮することができる、使用者の希望や修理のことも考え、台座そのものを簡単に交換することができることを目的とする。
【００１０】
第２の目的は、面付け錠ユニットを構成するカバー台座を扉の内壁面に固定される木口相当のケース状収納体に「がたつく」ことがないように確実（しっかりと）に固定することである。
【００１１】
第３の目的は、ケース状収納体そのものが「がたつく」ことがないように扉の壁面に確実に固定することである。
【００１２】
第４の目的は、例えばプッシュプル式の縦長ハンドルを装着するのに適合する面付け錠ユニットを提供することである。その他、外観上の美観を考慮し、扉の内壁面の正面から見たとき、ラッチ錠を収納するケース状収納体がカバー台座から見えないようにすることである。
【課題を解決するための手段】
【００１３】
本発明の面付け錠ユニットは、少なくとも扉（１）の内壁面（１ａ）に第１固定手段（１７）を介して面付け状態に直接固定されるケース状収納体（７Ａ）と、このケース状収納体に第２固定手段（２５）を介して固定的に収納される掘り込み型錠前（８Ａ）と、該掘り込み型錠前を、前記ケース状収納体（７Ａ）を介して全体的にカバーすると共に、該ケース状収納体に外嵌合するプッシュプル式ハンドル装着用のカバー台座（１０Ａ）を備えることを特徴とする。
【００１４】
また本発明の面付け錠ユニットは、面付け錠ユニット（２Ａ）は、扉（１）の内壁面（１ａ）に直接固定されると共に縦長の内部空間（１５）を有するケース状収納体（７Ａ）と、このケース状収納体（７Ａ）に内装される掘り込み型錠前（８Ａ）と、前記ケース状収納体７Ａに対して被せるように外嵌合するプッシュプル式ハンドル装着用のカバー台座（１０Ａ）を備え、該面付け錠ユニット（２Ａ）の真下に所定間隔離間して位置しかつ前記扉（１）の内壁面（１ａ）に固定される下方の面付け錠ユニット（２Ｂ）も該面付け錠ユニット（２Ａ）と同一の構成部材から成り、上方の面付け錠ユニット（２Ａ）のカバー台座（１０Ａ）と下方の面付け錠ユニット（２Ｂ）のカバー台座（１０Ｂ）には室内側の前記プッシュプル式ハンドル（４）が縦方向に配設されることを特徴とする。
【発明の効果】
【００１５】
（ａ）独立項に記載の発明は、扉の木口に嵌め込まれる、いわゆる「掘り込み型錠前（例えばラッチ錠、本施錠付きラッチ錠、本施錠等）」を、木口に嵌め込む場合と同様に、扉の内壁面側に扉の木口相当の環境作りを錠前の取付け現場で簡単に実行することができ、従来の掘り込み型に使用されているラッチ錠、本施錠付きラッチ錠、本施錠等の錠前を、そのまま面付け状態に簡単に取り付けることができる。また、面付け錠ユニットを構成するカバー台座を扉の内壁面に直接固定される木口相当のケース状収納体に「がたつく」ことがないように確実（しっかりと）に固定することができる。さらに、カバー台座（１０Ａ）はプッシュプル式の縦長ハンドルを装着するのに適合する。
（ｂ）請求項２に記載の発明は、ラッチ錠を収納するケース状収納体及びラッチ錠のフロントが略カバー台座から突起しないので、突起部分が障害物とならない。
（ｃ）請求項４に記載の発明は、ケース状収納体が容易にがたつかない。
【図面の簡単な説明】
【００１６】
図１乃至図１１は本発明の最良の実施形態を示す各説明図。図１２及び図１３は本発明の第２実施例を示す各説明図。
【図１】扉の内壁面側から見た概略説明図。
【図２】戸枠を断面で示した平面視からの概略説明図。
【図３】扉の自由端面（戸先）側から見た概略説明図。
【図４】図２の主要部を示す平面視からの概略説明図。
【図５】扉枠と錠受けの説明図。
【図６】主要部を示す斜視図（カバー台座で取付け体及びケース状収納体を全体的にカバーした状態）。
【図７】主要部を構成する部材の分解斜視図（上方の面付け錠ユニット）。
【図８】要部（ケース状収納体及び取付け体を扉の内壁面に固定した状態）の斜視図。
【図９】図８に於いて、ケース状収納体にラッチ錠を嵌め込みかつ固定した状態の概略断面説明図。
【図１０】扉の内壁面と取付け体とでケース状収納体を挟持する説明図。
【図１１】図１０に於いて、カバー台座でケース状収納体及び取付け体をカバーし、取付け体にカバー台座を固定した状態の概略断面説明図。
【図１２】本発明の第２実施例を示す図６と同様の斜視図。
【図１３】図１２の１３−１３線概略断面図。
【図１４】要部（取付け体９Ａの突片部分９ｂ）の設計変更例を示す斜視図。
【発明を実施するための最良の形態】
【００１７】
以下、図１乃至図１１に示す本発明を実施するための最良の形態により説明する。
【００１８】
（１）特定要件を含む環境説明
まず、本発明の特定要件を含む環境説明を簡単に説明する。図１は扉の内壁面側から見た概略説明図、図２は戸枠を断面で示した平面視からの概略説明図、図３は扉の自由端面（戸先）側から見た概略説明図である。これらの図に於いて、１は開閉体としての扉、１ａは扉の内壁面、１ｂは扉の外壁面である。２Ａ、２Ｂは室内側の上下の面付け錠ユニット、一方、６Ａ、６Ｂは室外側の上下の面付け錠ユニットである。
３は室内側の上下の面付け錠ユニット２Ａ、２Ｂと、これに対応する室外側の上下の面付け錠ユニット６Ａ、６Ｂをそれぞれ連結する複数の連結手段で、これらの上下の連結手段３、３は、扉１を挟んで互いに対向する内外のケース状収納体（後述）をそれぞれ一体的に連結する。
【００１９】
したがって、例えば室外側の上下の面付け錠ユニット６Ａ、６Ｂを構成する不番の取付けベース或いはケース状収納体には、それぞれ複数本（例えばそれぞれ２本）の連結柱３ａ、３ａが設けられ、一方、後述する室内側の上下の面付け錠ユニット２Ａ、２Ｂを構成するケース状収納体７Ａ，７Ｂ乃至上下の取付け体９Ａ、９Ｂは、前記連結柱３ａ、３ａの先端部がそれぞれ貫通する複数個の連結孔３ｂ、３ｂ並びにこれらのそれぞれ螺合するネジ３ｃ、３ｃが存在する。
【００２０】
本発明では、室内側の上下の面付け錠ユニット２Ａ、２Ｂの内、一方の、例えば上方に位置する面付け錠ユニット２Ａの主要部について説明するが、下方に位置する面付け錠ユニット２Ｂも、その技術的思想は同一である。したがって、ここでは面付け錠ユニット２Ｂの主要部について説明は、上方に位置する面付け錠ユニット２Ａの主要部についての説明をそのまま援用する。
【００２１】
ところで、室外側の上下の面付け錠ユニット６Ａ、６Ｂの構成は、上方に位置する面付け錠ユニット２Ａの主要部と同一又は異なるものであっても良い。本発明は、少なくとも室内側の面付け錠ユニット２Ａ、２Ｂの構成を権利範囲として請求するものである。
【００２２】
そこで、室内側の上下に位置する面付け錠ユニット２Ａ、２Ｂは、少なくとも、扉１の内壁面１ａに第１固定手段１７を介して面付け状態に固定される上下のケース状収納体７Ａ，７Ｂと、上方のケース状収納体７Ａに第２固定手段を介して固定的に収納される上方のラッチ錠８Ａ並びに下方のケース状収納体に第２固定手段を介して面付け状態に固定される下方の本施錠（カマデッド）８Ｂと、前記ケース状収納体７Ａ，７Ｂの外壁面７ｂにそれぞれ設けられ、かつ突片部分を有する上下の取付け体９Ａ、９Ｂと、縦長の内部空間１５を有すると共に、該取付け体及び前記ケース状収納体を全体的にカバーした状態で該取付け体に第３固定手段を介して固定される上下のカバー台座１０Ａ、１０Ｂを備え、前記上下のカバー台座１０Ａ、１０Ｂには、図１及び図３で示すように、垂直状態に可動式の内外の長尺状ハンドル４、５をそれぞれ配設することができる。
【００２３】
ここで、図２を参照にして、内側の長尺状ハンドル４の取付け態様の一例を簡単に説明する。図２に於いて、ａ、ａは左右の戸枠で、この左右の戸枠ａ、ａの間に扉１が水平方向に開閉可能に設けられている。そして、１ｃは扉１の吊元側で、一方、１ｄは戸先側である。室内側に位置するように扉１の内壁面１ａの戸先側１ｄに設置された上下の面付け錠ユニット２Ａ、２Ｂは、それぞれデットボルト、駆動カム等を備え、内側の機械的操作手段（摘みを備えたサムターン装置）１３、１３により、本実施例ではカマデッド１１が出没する。
【００２４】
また、本実施例では、面付け錠ユニット２Ａ、２Ｂのいずれか一方、例えば上方の面付け錠ユニット２Ａはカマデッド１１の他に、内側のプッシュプル式長尺状ハンドル４の操作力に基づいて後退動する反転ラッチ、ラッチボルト等のラッチ本体１２を備えている。内側の長尺状ハンドル４は、面付け錠ユニット２Ａ、２Ｂに、その基端部が適宜に軸支された枢支部４ａと、該枢支部から吊元１ｃに向いてやや弧状に延出する腕部４ｂと、この腕部の先端部に縦方向に固定された棒状の操作部４ｃとから成り、前記枢支部４ａには、面付け錠ユニット２Ａ、２Ｂに入り込む図示しない駆動片が取り付けられている。
【００２５】
（２）面付け錠ユニット２Ａの具体的構成
図６は、主要部を示す斜視図で、この図では、カバー台座１０Ａでもって、取付け体９Ａ及びケース状収納体７Ａを全体的にカバーした状態を示す。また、図７は前記主要部を構成する各部材の分解斜視図である。
【００２６】
前述したように、本発明は、少なくとも室内側の面付け錠ユニットの構成を権利範囲として請求するものであるから、ここでは、図６乃至図１１を参照にして、上方の面付け錠ユニット２Ａの構成を具体的に説明する。
【００２７】
本実施形態の面付け錠ユニット２Ａは、扉１の内壁面１ａに固定されると共に縦長の内部空間１５を有するケース状収納体７Ａと、このケース状収納体７Ａに内装されるラッチ錠８Ａと前記ケース状収納体７Ａの外壁面７ｂにそれぞれ設けられかつ複数の突片部分を有する取付け体９Ａと、前記ケース状収納体７Ａと同様に縦長内部空間を有し該取付け体９Ａ及び前記ケース状収納体７Ａに対して被せるように外嵌合するカバー台座１０Ａを備え、該面付け錠ユニット２Ａの真下に所定間隔離間して位置しかつ前記扉１の内壁面１ａに固定される下方の面付け錠ユニット２Ｂも該面付け錠ユニット２Ａと同一の構成部材から成る場合には、上方の面付け錠ユニット２Ａのカバー台座１０Ａと下方の面付け錠ユニット２Ｂのカバー台座１０Ｂには、室内側の長尺状ハンドル４が縦方向に配設される。
【００２８】
そこで、例えば図７を参照にすると、７Ａはケース状収納体で、このケース状収納体７Ａの縦長の内部空間１５は、扉１の木口に嵌め込まれる、いわゆる「掘り込み型錠前（例えばラッチ錠、本施錠付きラッチ錠、本施錠等）」を、木口に嵌め込む場合と同様に、扉１の内壁面１ａに扉の木口に相当する環境作りをし、従来の掘り込み型に使用されているラッチ錠、本施錠付きラッチ錠、本施錠等の錠前を、そのまま面付け状態に簡単に取り付けることができる大きさに設定されている。
【００２９】
実施形態では、少なくとも木口に相当する嵌め込み口１６が前記縦長の内部空間１５に連通して設けられている。ケース状収納体７Ａに上壁や下壁を設けるか否かは単なる設計事項であるが、ケース状収納体７Ａは、少なくとも断面コ字形状の周壁を有する。
【００３０】
しかして、ケース状収納体７Ａは、扉１の内壁面１ａに固定される内側の取付けベース板部分７ａを有する断面コ字形状に形成され、該ケース状収納体７Ａの前方開口端面に前述した木口相当の嵌め込み口１６が形成されている。そして、取付けベース板部分７ａ及び該取付けベース板部分７ａと対向する手前側の外壁面７ｂには、必要に応じて、例えば第１固定具１７用の内外の複数個の第１取付け孔１８ａ、１８ｂが形成され、前記手前側の外壁面７ｂに形成された第１取付け孔１８ｂは、取付けベース板部分７ａに形成された第１取付け孔１８ａよりも比較的大きく形成されている。
【００３１】
その理由は、手前側の外壁面７ｂの第１取付け孔１８ｂを介して第１固定具１７（例えばねじ）を入れ、縦長の内部空間１５内で第１固定具１７をドライバー等で適宜に回してケース状収納体７Ａを内壁面１ａに固定するからである。また前記取付けベース板部分７ａ及び外壁面７ｂには、前述した連結柱３ａ（図３参照）が貫通する複数の貫通孔１９、１９が形成されている。さらに、不番の機械的操作装置用の孔、長尺状ハンドル４の駆動片用開口２６等が適宜に形成されている。加えて、ケース状収納体７Ａの嵌め込み口１６の上下には、例えばラッチ錠８Ａのフロントの上下端部が面接触する取付け突片２０、２０が設けられている。
【００３２】
次に、８Ａはケース状収納体７Ａに内装されるラッチ錠である。このラッチ錠８Ａは、周知のラッチ錠と同様に、フロント２１を有する錠ケース２２の内部に、カマデッド１１を作動させるためのデッド出没機構及びラッチ本体１２を後退動させるためのラッチ機構が組み込まれている。
【００３３】
しかして、錠前の一例としてのラッチ錠８Ａは、ケース状収納体７Ａと同様に、機械的操作装置用の孔、長尺状ハンドル４の駆動片用開口２４等が適宜に形成されている。そして、ラッチ錠８Ａは、ケース状収納体７Ａに嵌め込み口１６を介して完全（全体的）に収納されると、フロント２１の貫通孔を貫通して取付け突片２０、２０に螺合する第２固定手段２５を介して該ケース状収納体７Ａに固定的に内装される。
【００３４】
なお、ラッチ錠８Ａがケース状収納体７Ａに完全に収納されると、ラッチ錠８Ａの駆動片用開口２４とケース状収納体７Ａの駆動片用開口２６等は符合する。
【００３５】
次に、９Ａは取付け体で、この取付け体９Ａは、ケース状収納体７Ａの外壁面７ｂに添設状態設けられ、かつ複数の突片部分を有する取付け体である。本実施形態では、断面コ字形状に形成され、前記外壁面７ｂに面接触状態で添設される垂直板部分９ａと、この垂直板部分９ａの端板部分に相当する上下或いは左右一対の突片部分９ｂ、９ｂとから成る。
【００３６】
しかして、前記垂直板部分９ａには、前述したように、連結手段を構成する複数の連結孔３ｂ、３ｂが形成されていると共に、前述した駆動片用開口２６と符合する駆動片用開口２７が形成されている。また、機械的操作装置用の孔２８も形成されている。
【００３７】
一方、前記左右の突片部分９ｂ、９ｂには、第３固定具２９用の取付け孔３０、３０がそれぞれ形成されている。ところで、この取付け体９Ａの垂直板部分９ａの前記連結孔３ｂ、３ｂには、室外側の上の面付け錠ユニット６Ａの連結柱３ａ、３ａがそれぞれ貫通するので、ネジ３ｃによって取付け体９Ａがケース状収納体７Ａ側に引寄せられると、ケース状収納体７Ａは扉１の内壁面１ａと取付け体９Ａの垂直板部分９ａとによってサンドイッチ状態に挟持される（図１０参照）。
【００３８】
したがって、ケース状収納体７Ａは第１固定具１７と連結手段３の両方によってしっかりと弛まないように固定される。また、このケース状収納体７Ａは、カバー台座１０Ａの内部空間の一部に入り込んで、該カバー台座１０Ａを安定した状態に支持する機能を有する。
【００３９】
最後に、１０Ａはケース状収納体７Ａの縦長の内部空間１５よりも大きい縦長内部空間３１を有し、前述した取付け体９Ａ及びケース状収納体７Ａを全体的にカバーした状態で該取付け体９Ａの左右の突片部分９ｂ、９ｂに第３固定手段３０を介して固定されるカバー台座である。
【００４０】
カバー台座１０Ａの意匠的な外観形態は適宜に設計変更し得る事項であるが、本実施例では、少なくとも、取付け体９Ａ及びケース状収納体７Ａに被せることができる大きさに形成されている。
【００４１】
そして、実施形態では、一側壁１０ａに縦方向の切欠部分３２を有し、ラッチ錠８Ａの錠ケース２２のフロント２１は、前記一側壁と略面一状態になるように前記切欠部分３２に位置している。また、前記一側壁１０ａと、該一側壁に対向する他方の側壁１０ｂには、上下方向に所定間隔を有して複数の取付け孔３３、３３が形成されていると共に、前記他方の側壁１０ｂと直交する手前の前壁１０ｃには、内側ハンドル４の基端部を挿入する開口３４及び機械的操作装置用の孔（サムターン摘みの軸孔）３５が適宜に形成されている。
【００４２】
（４）機械的操作装置、
機械的操作装置１３は、例えばサムターン摘みを有するサムターン装置で、上下のサムターン装置１３は、室内側の上下に位置する面付け錠ユニット２Ａ、２Ｂにそれぞれ適宜に組み込まれている。なお、室外側の上下に位置する面付け錠ユニット６Ａ、６Ｂには、上下の機械的操作装置（シリンダ錠）４０、４０がそれぞれ適宜に組み込まれている。したがって、本発明は、いわゆるツインロックにも使用することができる。
【００４３】
（５）その他の構成−錠受け
図５を参照にすると、戸先側の戸枠ａには、二つの錠受け４１Ａ、４１Ｂが上下方向に所要間隔を有してそれぞれ固定されている。例えば図４で示すように、上下の金属製錠受け４１Ａ、４１Ｂは、扉枠ａの外面に突出するようにそれぞれ固定されている。これら上下の金属製錠受け４１Ａ、４１Ｂは、一体成形されていても良いが、本実施形態では、上下方向に所定間隔を有して扉枠ａに配設され、例えば上方の金属製錠受け４１Ａは、本施錠片用の係合穴４２ａの他に、ラッチ本体用の係合穴４２ｂを有している。扉側のラッチ本体１２は１つで十分であることから、例えば下方の金属製錠受け４１Ｂは、本施錠片１１用の係合穴４２ａのみ有している。
【実施形態】
【００４４】
図１２及び図１３は本発明の第２実施形態を示す各説明図である。この第２実施例は、カバー台座（１０Ａ、１０Ｂ）の一側壁１０ａに本施錠片（カマデッド）１１の開口３２Ａ及び／又はラッチ本体１２用の開口３２Ｂを形成し、該カバー台座（１０Ａ、１０Ｂ）でもって錠前（例えばラッチ錠）８Ａのフロント２１も含む、該錠前８Ａを「すっぽりと」包むようした点が、前記第１実施形態と相違する。このように構成しても、本発明の本質的事項に変更はない。もちろん、第２実施形態の場合には、フロント２１を有しない錠前８Ａを「すっぽりと」包むようにしても良い。なお、取付け体そのものを取付け体の外壁面に突出成形しても良い。
【００４５】
ところで、本発明の実施形態では、例えば図７で示すように、取付け体９Ａの左右の端部には左右一対の突片部分９ｂ、９ｂが対向状態に設けられているが、この要部（突片部分９ｂ）は、固定手段２９が固着具であるか、或いは図示しないオス・メス係合片であるか、或いは両方を併用するか等の観点から当業者が任意に設計変更することができる。図１４は念のためにその変形例（例えば突片部分９ｂ、９ｂが厳格な意味での左右一対でなくても良い）を示す斜視図である。図１４で示すように、固定手段２９の設計変更は、当該技術分野に於いて、当業者に自明乃至周知事項である限り、本発明の本質的事項ではない。
【産業上の利用可能性】
【００４６】
本発明は、錠前や建具の分野で利用される。
【符号の説明】
【００４７】
ａ…戸枠（扉枠）、１…扉、１ａ…内壁面、２Ａ、２Ｂ…室内側の上下の面付け錠ユニット、３…連結手段、３ａ…連結柱、３ｂ…連結孔、３ｃ…ネジ、４…内側ハンドル、５…外側ハンドル、６Ａ、６Ｂ…室外側の上下の面付け錠ユニット、７Ａ、７Ｂ…上下のケース状収納体、７ａ…取付けベース板部分、７ｂ…外壁面、８Ａ…錠前（例えばラッチ錠）、９Ａ、９Ｂ…上下の取付け体、１０Ａ、１０Ｂ…上下のカバー台座、１１…本施錠片（カマデッド）、１２…ラッチ本体、１５…縦長の内部空間、１６…嵌め込み口、１７…第１固定手段、１８ａ、１８ｂ…第１取付け孔、１９…貫通孔、２０…取付け突片、２１…フロント、２２…錠ケース、２４、２６、２７…駆動片用開口、２５…第２固定手段、２９…第３固定手段、３１…カバー台座の縦長内部空間。
【図１】
0005700628.tif 000002
【図２】
0005700628.tif 000003
【図３】
0005700628.tif 000004
【図４】
0005700628.tif 000005
【図５】
0005700628.tif 000006
【図６】
0005700628.tif 000007
【図７】
0005700628.tif 000008
【図８】
0005700628.tif 000009
【図９】
0005700628.tif 000010
【図１０】
0005700628.tif 000011
【図１１】
0005700628.tif 000012
【図１２】
0005700628.tif 000013
【図１３】
0005700628.tif 000014
【図１４】
0005700628.tif 000015